(57)【要約】【課題】一枚もののフタを開閉するとき、開閉操作に特に力を要せず、しかも開閉の最終段階でゆっくりと移動させることができて安全性が向上する洗濯機を得る。【解決手段】外箱内に水槽を揺動自在に吊下げ、底部に攪拌翼を配設した洗濯兼脱水槽を前記水槽内に配設し、洗濯兼脱水槽の下方にギヤ、クラッチなどの機構を介してモータを配設し、前記外箱の上面に取り付けたトップカバー３で形成される開口をフタ１で開閉自在に覆う洗濯機のフタ構造において、前記フタ１は一枚ものの後部をダンパー６およびフタバネを介してフタピン２によりトップカバー３に回動自在に軸着した。【選択図】        図４
2008029371.tif 000002
【特許請求の範囲】
【請求項１】
外箱内に水槽を揺動自在に吊下げ、底部に攪拌翼を配設した洗濯兼脱水槽を前記水槽内に配設し、洗濯兼脱水槽の下方にギヤ、クラッチなどの機構を介してモータを配設し、前記外箱の上面に取り付けたトップカバーで形成される開口をフタで開閉自在に覆う洗濯機のフタ構造において、前記フタは一枚ものの後部をダンパーおよびフタバネを介してフタピンによりトップカバーに回動自在に軸着したことを特徴とする洗濯機。
【請求項２】
前記フタピンによる回動軸着部に前記同じフタピンで補強板を取り付けたことを特徴とする請求項１記載の洗濯機。
【請求項３】
前記フタバネはフタの後部左右に配設し、ダンパーを前記左右のフタバネの間の中央に配置したことを特徴とする請求項１または請求項２記載の洗濯機。
【請求項４】
前記フタの前縁または側縁前部の少なくともいずれかに手掛け部としての凹部を形成したことを特徴とする請求項１から請求項３のいずれかに記載の洗濯機。
【請求項５】
前記前縁に設ける手掛け部は、間隔をおいて前方に突出する上下の舌片で構成し、下方の舌片を上方の舌片よりも短く形成したことを特徴とする請求項４記載の洗濯機。
【請求項６】
前記側縁に設ける手掛け部には、排気口を形成したことを特徴とする請求項４記載の洗濯機。
【発明の詳細な説明】
【技術分野】
【０００１】
本発明は、洗濯機のフタ構造に関するものである。
【背景技術】
【０００２】
一般に、洗濯機は外箱内に水槽を揺動自在に吊下げ、底部に攪拌翼を配設した洗濯兼脱水槽を前記水槽内に配設し、洗濯兼脱水槽の下方にギヤ、クラッチなどの機構を介してモータを配設し、前記外箱の上面に取り付けたトップカバーで形成される開口をフタで開閉自在に覆うものである。
【０００３】
従来、フタは、洗濯機の上方に衣類乾燥機を設置して、いわゆるホームランドリーの形態として使用することを想定して、上方への衣類乾燥機の設置スペースを確保するために、フタ開閉に要するスペースを小さくする目的で、二つ折り状態に畳むようにして開いていた。
【０００４】
ところが、最近では洗濯機と衣類乾燥機とが一体となった洗濯乾燥機が広まり、洗濯機の上方に衣類乾燥機を設置する必要がなくなったため、フタを折畳み構造とする必要性がなくなっている。なお、衣類乾燥機ではないが、折畳み構造ではなく、一枚もののフタも従来提案されている（例えば特許文献１参照）。
【特許文献１】特開２００４−２６１３３０号公報
【発明の開示】
【発明が解決しようとする課題】
【０００５】
フタを一枚ものにする場合、開閉するためのフタバネにもバネ力の大きなものを用いる必要があり、また、開閉ストロークも大きくなるため、開閉作業に力を要したり、また、開閉の最終段階で急激にバタンと開いたり、閉じたりして危険なこともある。
【０００６】
本発明は前記従来例の不都合を解消するものとして、一枚もののフタを開閉するとき、開閉操作に特に力を要せず、しかも開閉の最終段階でゆっくりと移動させることができて安全性が向上する洗濯機を提供するものである。
【課題を解決するための手段】
【０００７】
本発明は前記目的を達成するものとして、外箱内に水槽を揺動自在に吊下げ、底部に攪拌翼を配設した洗濯兼脱水槽を前記水槽内に配設し、洗濯兼脱水槽の下方にギヤ、クラッチなどの機構を介してモータを配設し、前記外箱の上面に取り付けたトップカバーで形成される開口をフタで開閉自在に覆う洗濯機のフタ構造において、前記フタは一枚ものの後部をダンパーおよびバネを介してフタピンによりトップカバーに回動自在に軸着したことを特徴とする。
【発明の効果】
【０００８】
フタを一枚もので形成したから、構造を単純化できる。この場合、開閉は大きなバネ力を有するフタバネを用いて、大きな一枚のフタを操作することになるが、ダンパーを取り付けたから途中まで手で開閉すれば、その後はダンパーの作用でゆっくりと開閉するから、操作性がよく、バタンと急激に開閉することもなく安全でもある。
【発明を実施するための最良の形態】
【０００９】
以下、図面について本発明の実施形態を詳細に説明する。図１は本発明の洗濯機の実施形態を示すフタの平面側の斜視図、図２は同上斜視図、図３は同上側面図、図４はフタを開いた状態の前面側の斜視図で、洗濯機の全体構成は既に説明したとおり、洗濯機は外箱内にその四隅から吊下げ手段によって水槽を吊下げ、底部に攪拌翼を配設した洗濯兼脱水槽を前記水槽内に配設し、洗濯兼脱水槽の下方にギヤ、クラッチなどの機構を介してモータを配設している。
【００１０】
かかる洗濯機において、本発明ではフタ構造としてフタ１を一枚もので形成し、その後部を左右位置でフタピン２によってトップカバー３に回動自在に軸着した（図４、図５参照）。
【００１１】
フタ１の後部には図６に示すようにフタ１を開閉するためのフタバネ４が取り付けられる。このフタバネ４は、線材をコイル状に巻回したコイル部４ｃの両端を突出させて、一方の端部をトップカバー３への固定部４ａとし、他端をフタ１の後端から突設したフタ腕部１ａへの取付部４ｂとした。
【００１２】
このフタバネ４は固定部４ａに対して取付部４ｂが外方に開くようにバネ力が付勢され、このバネ力がフタ腕部１ａに作用し、フタ１は本体の回転中心部１ｂを中心にして回転する構造となっている。
【００１３】
フタ１を一枚ものとすることで開閉に大きな力が必要となり、このフタバネ４も大きなバネ力を要するものとなる。このため、合成樹脂製のフタ１およびトップカバー３では、その回動軸着部において、フタバネ４の荷重に耐えられないことが想定される。
【００１４】
そこで本発明では図４、図５に示すようにこの回動軸着部に金属製の補強板５を取り付けた。この場合、補強板５の取り付けは、フタ１をトップカバー３に取り付けるための同じフタピン２を使用する。これにより、固定のためにネジなどを別途使用せずにすみ、構造も簡単となる。
【００１５】
そして、フタピン２によるフタ１のトップカバー３への左右の軸着部の間に位置させて、図４に示すようにフタ１の後部中央位置にダンパー６を配設する。フタ１のトップカバー３への軸着部は前記のようにフタ１の左右位置であるため、中央の部分が浮きあがり易くなったり、フタ１にねじれが生じ易くなるが、ダンパー６を中央に配設することでフタ１の中央部の浮きあがりを防止でき、ねじれも防げる。
【００１６】
また、フタ１の前縁に開閉のための手掛け部７として凹部を形成する。この凹部は、間隔をおいて前方に突出させた上下の舌片７ａ、７ｂで形成される。
【００１７】
フタ１の上面はトップカバー３の前部上面に形成される操作部８の上面と同一平面とし、手掛け部７を収容するとともに手掛け部７に指を差込むための操作スペースとなる凹部３ａをトップカバー３に形成する。
【００１８】
フタ１の側部前側にも凹部を形成して開閉のための手掛け部９とし、この側部の手掛け部９には洗濯機が洗濯乾燥機の場合に乾燥行程で使用する温風の排気口９ａを設ける。
【００１９】
次に作用を説明する。フタ１が閉じられた状態では、図８に示すようにフタ腕部１ａにはフタバネ４の取付部４ｂにより図８において矢印方向へのバネ荷重方向の力（斜め上方への力）が作用している。そのため、フタ１は回転中心部１ｂを中心軸としてフタ１の先端側には図８おいて下方、すなわちフタ１を閉じる方向への力が作用し、このフタバネ４による閉じる方向への力と、フタ１の自重とによりフタ１は閉じている。
【００２０】
この状態から、衣類を洗濯兼脱水槽内に投入したり、取出すときにフタ１を開くには、例えばトップカバー３に形成してある凹部３ａに指を差込んで前縁に形成してある手掛け部７の舌片７ａ，７ｂの間の空隙に指先を差入れ、上方の舌片７ａに指を引掛けてフタ１を上部後方に引き上げる。
【００２１】
これにより、フタ１はフタバネ４の力によって、回転中心部１ｂを回転軸としてフタ腕部１ａが下方に回動し、フタ１の本体部が上方に回動して引き上げられる。この場合、途中、例えば中ほどまで手で引き上げれば、その後はフタバネ４の力によって自動的に開閉し、しかもダンパー６の作用でゆっくりと開くから、バタンと急激に開くことがなく、最後で跳ね返ったり、指を挟むなどの事態発生を防止できる。
【００２２】
また、フタ１の側部に形成した手掛け部９を使用することで、別の角度からでもフタ１の開閉ができ、使い勝手のよいものになる。
【００２３】
フタ１が開いた状態では、図６に示すようにフタバネ４の取付部４ｂによりフタ１のフタ腕部１ａに斜め下方へのバネ力が作用するから、フタ１の本体には回転中心部１ｂを中心軸としてフタ開方向への力が作用する。
【００２４】
そして、この状態ではフタ１はわずかに後方に倒れているから、このフタ１自身の倒れと前記バネ力とによってフタ１は開状態を保持する。
【００２５】
この開状態からフタ１を閉じるには、手掛け部７に指を差込んでフタ１を下方に倒せば、回転中心部１ｂを中心軸にしてフタ腕部１ａを介してフタバネ４の取付部４ｂにはバネ力に抗してこれを閉じようとする方向への力が作用する。
【００２６】
よって、バネ力に抗してフタ１を閉じる方向に途中まで、例えば４５度まで手で倒せば、その後はフタ１の自重により閉じる。この場合、ダンパー６が作用し、その抵抗力によって最終段階ではフタ１はゆっくりと閉じ、急激にバタンと閉じることはない。
【図面の簡単な説明】
【００２７】
【図１】本発明の洗濯機の実施形態を示す平面側の斜視図である。
【図２】本発明の洗濯機の実施形態を示す斜視図である。
【図３】本発明の洗濯機の実施形態を示す側面図である。
【図４】本発明の洗濯機の実施形態を示すフタを開いた状態の前面側の斜視図である。
【図５】本発明の洗濯機の実施形態を示すフタ取付部の斜視図である。
【図６】本発明の洗濯機のフタを開いた状態の側面側の説明図である。
【図７】本発明の洗濯機の閉じる途中の状態の側面側の説明図である。
【図８】本発明の洗濯機の閉じた状態の側面示側の説明図である。
【符号の説明】
【００２８】
１  フタ                        １ａ  フタ腕部
１ｂ  回転中心部                ２  フタピン
３  トップカバー                ３ａ  凹部
４  フタバネ                    ４ａ  固定部
４ｂ  取付部                    ４ｃ  コイル部
５  補強板                      ６  ダンパー
７  手掛け部                    ７ａ、７ｂ  舌片
８  操作部                      ９  手掛け部
９ａ  排気口
【図１】
2008029371.tif 000003
【図２】
2008029371.tif 000004
【図３】
2008029371.tif 000005
【図４】
2008029371.tif 000006
【図５】
2008029371.tif 000007
【図６】
2008029371.tif 000008
【図７】
2008029371.tif 000009
【図８】
2008029371.tif 000010